(57)【特許請求の範囲】
【請求項１】
互いに嵌合可能な下ケースおよび上ケースを有して当該両ケースの嵌合状態において略扁平立方体を形成するケース本体と、当該ケース本体内に形成された区画板によって区画された収容部に回転可能に収容されたテープリールと、前記ケース本体の底板、天板、側板および前記区画板によって囲まれた当該ケース本体内におけるいずれかの隅部の所定領域に配設されたセキュリティタグとを備えたカートリッジケースであって、
前記セキュリティタグは、巻線が巻回された円筒状のコイル部と、当該コイル部の前記巻線の両端にリード端子が並列接続されたコンデンサとを備えて構成されると共に、前記底板、前記天板、前記側板および前記区画板に当接して移動が規制されるホルダーに取り付けられた状態で前記所定領域に配設され、
前記ホルダーは、湾曲形成された胴部および当該胴部の両端部に配設された壁部によって略半円筒状に形成されて開口部から嵌め込まれた前記コイル部を保持するホルダー本体と、前記コンデンサの前記リード端子をワンタッチで嵌め込み可能でかつ嵌め込まれた当該リード端子を保持する一対の保持部とを備えて構成されているカートリッジケース。
【請求項２】
前記ケース本体は、前記底板および前記天板の少なくとも一方に立設されて前記所定領域に突出する柱状突起部を備え、
前記ホルダーは、前記柱状突起部に当接した状態で前記所定領域に配設されている請求項１記載のカートリッジケース。
【請求項３】
前記各保持部は、前記ホルダー本体から突出するように当該ホルダー本体の外周面に立設された第１保持片と、当該第１保持片から所定間隔離間するように前記外周面に立設されると共に当該第１保持片に向けて突出する爪部が先端部に形成された第２保持片とを備えてそれぞれ構成されている請求項１または２記載のカートリッジケース。
【請求項４】
前記ホルダーの前記両壁部の少なくとも一方には、スリットが形成されている請求項１から３のいずれかに記載のカートリッジケース。
【請求項５】
前記胴部の前記端部における前記開口部近傍の内周面には、当該ホルダー本体の内側に突出するリブが形成されている請求項１から４のいずれかに記載のカートリッジケース。
【請求項６】
請求項１から５のいずれかに記載のカートリッジケースと、前記テープリールに巻回された磁気テープとを備えている情報記録媒体。
【発明の詳細な説明】
【技術分野】
【０００１】
本発明は、ケース本体内にテープリールおよびセキュリティタグが配設されたカートリッジケース、およびそのカートリッジケースを備えた情報記録媒体に関するものである。
【背景技術】
【０００２】
コンピュータシステムに記録されている大量のデータをバックアップするための情報記録媒体として、１リールタイプの情報記録媒体が知られている。この場合、例えば保管場所からの情報記録媒体の不正持ち出しを規制してデータの外部流出を防止する手段として、セキュリティタグがケース本体内に配設された情報記録媒体（例えば、特許第３６０５１０６号公報に開示されたテープカートリッジ）が知られている。この種の情報記録媒体では、一般的に、テープリールが収容される収容部を区画するケース本体内の区画板とケース本体の側板との間のスペース、つまりケース本体内における隅部のスペースにセキュリティタグが配設されている。この場合、セキュリティタグは、保管場所の出入り口等に配置されたゲートから発信される電波を受信して共振し、所定周波数の電波を発信する機能を有している。このため、このセキュリティタグが配設された情報記録媒体では、情報記録媒体がゲートを通過したか否か、つまり、情報記録媒体が保管場所の外部に持ち出されたか否かを特定することが可能となっている。
【特許文献１】特許第３６０５１０６号公報（第３頁、第２図）
【発明の開示】
【発明が解決しようとする課題】
【０００３】
ところが、従来の情報記録媒体には、以下の問題点がある。すなわち、この種の情報記録媒体では、がたつきによるセキュリティタグの損傷等を防止するために、一般的に、接着剤や粘着テープを用いてセキュリティタグをケース本体内の内面に貼付することで固定している。しかしながら、例えばコイルとコンデンサとで構成されたセキュリティタグをこの方法で固定する際には、接着面として利用できる平面部分が比較的少ないため、セキュリティタグを確実に固定するのが困難であるという問題点が存在する。また、この方法では、情報記録媒体を長期間保管する間に接着剤や粘着テープが経年劣化してセキュリティタグがケース本体の内面から剥がれて、がたつきが生じるおそれがある。この場合、ホルダーにセキュリティタグを取り付けて、そのホルダーをケース本体にねじ止めすることでセキュリティタグを固定する方法も考えられる。しかしながら、この方法では、セキュリティタグを確実に固定することは可能なものの、ねじ止めの工程が追加される分、生産効率の向上がやや困難となるという課題が生じる。
【０００４】
本発明は、かかる問題点を解決すべくなされたものであり、生産効率を向上しつつセキュリティタグを確実に固定し得るカートリッジケースおよび情報記録媒体を提供することを主目的とする。
【課題を解決するための手段】
【０００５】
上記目的を達成すべく本発明に係るカートリッジケースは、互いに嵌合可能な下ケースおよび上ケースを有して当該両ケースの嵌合状態において略扁平立方体を形成するケース本体と、当該ケース本体内に形成された区画板によって区画された収容部に回転可能に収容されたテープリールと、前記ケース本体の底板、天板、側板および前記区画板によって囲まれた当該ケース本体内におけるいずれかの隅部の所定領域に配設されたセキュリティタグとを備えたカートリッジケースであって、前記セキュリティタグは、巻線が巻回された円筒状のコイル部と、当該コイル部の前記巻線の両端にリード端子が並列接続されたコンデンサとを備えて構成されると共に、前記底板、前記天板、前記側板および前記区画板に当接して移動が規制されるホルダーに取り付けられた状態で前記所定領域に配設され、前記ホルダーは、湾曲形成された胴部および当該胴部の両端部に配設された壁部によって略半円筒状に形成されて開口部から嵌め込まれた前記コイル部を保持するホルダー本体と、前記コンデンサの前記リード端子をワンタッチで嵌め込み可能でかつ嵌め込まれた当該リード端子を保持する一対の保持部とを備えて構成されている。
【０００６】
この場合、前記底板および前記天板の少なくとも一方に立設されて前記所定領域に突出する柱状突起部を備えて前記ケース本体を構成し、前記柱状突起部に当接させた状態で前記所定領域に前記ホルダーを配設することができる。
【０００８】
また、前記ホルダー本体から突出するように当該ホルダー本体の外周面に立設された第１保持片と、当該第１保持片から所定間隔離間するように前記外周面に立設されると共に当該第１保持片に向けて突出する爪部が先端部に形成された第２保持片とを備えて前記各保持部をそれぞれ構成することができる。
【０００９】
さらに、前記ホルダーの前記両壁部の少なくとも一方にスリットを形成した構成を採用することができる。
【００１０】
また、前記胴部の前記端部における前記開口部近傍の内周面に当該ホルダー本体の内側に突出するリブを形成した構成を採用することができる。
【００１１】
また、本発明に係る情報記録媒体は、上記のカートリッジケースと、前記テープリールに巻回された磁気テープとを備えている。
【発明の効果】
【００１２】
本発明に係るカートリッジケースおよび情報記録媒体によれば、セキュリティタグをホルダーに取り付けた状態でケース本体の所定領域に配設したことにより、ホルダーをケース本体の底板、天板、側板および区画板に当接させることで、セキュリティタグをホルダーと共にケース本体に固定することができる。このため、このカートリッジケースおよび情報記録媒体によれば、接着剤や粘着テープを用いる従来の固定方法とは異なり、接着面として利用できる平面部分が少ないセキュリティタグであっても、そのセキュリティタグをケース本体に確実に固定することができる。また、このカートリッジケースおよび情報記録媒体によれば、接着剤や粘着テープを用いることなくホルダーを用いてセキュリティタグを固定するため、接着剤や粘着テープの経年劣化によってセキュリティタグがケース本体から剥がれるおそれのある従来の固定方法とは異なり、セキュリティタグが確実に固定された状態を長期間に亘って維持することができる。さらに、このカートリッジケースおよび情報記録媒体によれば、ねじ止めの工程が不要なため、ねじ止めによってホルダーをケース本体に固定する方法と比較して、短時間でしかも容易に固定することができる結果、生産効率を十分に向上させることができる。また、本発明に係るカートリッジケースおよび情報記録媒体によれば、略半円筒状に形成されてセキュリティタグのコイル部を保持するホルダー本体と、セキュリティタグにおけるコンデンサのリード端子をワンタッチで嵌め込み保持する一対の保持部とを備えてホルダーを構成したことにより、コイル部とコンデンサとを確実かつ短時間で、しかも容易にホルダー取り付けることができる。したがって、このカートリッジケースおよび情報記録媒体によれば、生産効率を一層向上させつつセキュリティタグをより確実に固定することができる。
【００１３】
また、本発明に係るカートリッジケースおよび情報記録媒体によれば、ホルダーを、ケース本体の柱状突起部に当接させた状態で所定領域に配設したことにより、ホルダーおよびセキュリティタグをより確実に固定してセキュリティタグの移動を確実に防止することができる。
【００１５】
さらに、本発明に係るカートリッジケースおよび情報記録媒体によれば、ホルダー本体から突出するようにホルダー本体の外周面に立設された第１保持片と、第１保持片から所定間隔離間するようにホルダー本体の外周面に立設されて第１保持片に向けて突出する爪部が先端部に形成された第２保持片とを備えて保持部を構成したことにより、比較的簡易な構成でありながら、ワンタッチでのリード端子の嵌め込み、および嵌め込んだリード端子の確実な保持を実現することができる。
【００１６】
また、本発明に係るカートリッジケースおよび情報記録媒体によれば、ホルダーの両壁部の少なくとも一方にスリットを形成したことにより、コイル部をホルダー本体に嵌め込む際に、ホルダー本体が弾性変形して開口部が広がる結果、ホルダー本体に対するコイル部の嵌め込み作業を確実でしかも容易に行うことができる。
【００１７】
また、本発明に係るカートリッジケースおよび情報記録媒体によれば、胴部の端部における開口部近傍の内周面にホルダー本体の内側に突出するリブを形成したことにより、ホルダー本体に嵌め込んだコイル部の開口部側への移動をこのリブによって確実に規制することができる結果、コイル部のホルダー本体からの脱落を防止して、コイル部を確実に保持することができる。
【発明を実施するための最良の形態】
【００１８】
以下、本発明に係るカートリッジケースおよび情報記録媒体の最良の形態について、添付図面を参照して説明する。
【００１９】
最初に、本発明に係る情報記録媒体の一例としてのテープカートリッジ１の構成について、図面を参照して説明する。
【００２０】
図１に示すテープカートリッジ１は、一例として、電子計算機に記録された記録データをバックアップするために用いられる１リール（単一リール）タイプのカートリッジ式の情報記録媒体であって、同図に示すように、ケース本体２、テープリール３、ブレーキ解除板４、ロック部材５、スプリング６、ドア部材７、識別タグ８、セキュリティタグ９、ホルダー１０、およびテープリール３に巻回された図外の磁気テープを備えて構成されている。この場合、磁気テープを除く各構成要素によって本発明に係るカートリッジケースが構成される。
【００２１】
ケース本体２は、図１〜図３に示すように、平面視略正方形の浅皿状にそれぞれ形成されて互いに嵌合可能な下ケース１１および上ケース１２を備えて、両ケース１１，１２の嵌合状態において略扁平立方体を形成するように構成されている。
【００２２】
下ケース１１は、図２に示すように、底板１１ａ、および４つの側板１１ｂ〜１１ｅを備えて構成されている。この場合、側板１１ｂには、テープリール３に巻回された磁気テープを外部に引き出すためのテープ引き出し口２ａを構成する切り欠き１１ｆが形成されている。また、下ケース１１の４つの隅部Ｃ１１〜Ｃ１４のうちの切り欠き１１ｆの近傍の隅部Ｃ１１を除く他の３つの隅部Ｃ１２〜Ｃ１４には、テープリール３を収容する収容部の一部（以下、「収容部Ａ１１」ともいう）を区画するための平面視弧状の区画板１１ｇ〜１１ｉが形成されている。
【００２３】
この場合、区画板１１ｇは、図２に示すように、隣接する側板１１ｂ，１１ｃにその両端部が連結されている。また、区画板１１ｈは、隣接する側板１１ｃ，１１ｄにその両端部が連結され、区画板１１ｉは、隣接する側板１１ｄ，１１ｅにその両端部が連結されている。この構成により、下ケース１１の各隅部Ｃ１２〜Ｃ１４には、各区画板１１ｇ〜１１ｉおよび各側板１１ｂ〜１１ｅによって囲まれた平面視三角形状の３つの区画領域Ａ１２〜Ａ１４がそれぞれ形成されている。
【００２４】
また、底板１１ａ（天板および底板の少なくとも一方の一例）には、図６，７に示すように、２つの柱状突起部３１，３２が区画領域Ａ１４に突出するようにして立設されている。この場合、柱状突起部３１には、嵌合状態の下ケース１１および上ケース１２をねじ止めするための孔３１ａが中心部に形成されると共に、補強用のリブ３１ｂが外周面に形成されている。また、柱状突起部３２には、テープカートリッジ１をドライブ装置にセットした際に位置決めを行うための基準孔３２ａが基端部側（図７における下側）に形成されている。
【００２５】
上ケース１２は、図３に示すように、天板１２ａ、および４つの側板１２ｂ〜１２ｅを備えて構成されている。この場合、側板１２ｂには、下ケース１１の切り欠き１１ｆと共にテープ引き出し口２ａを構成する切り欠き１２ｆが形成されている。また、上ケース１２の４つの隅部Ｃ２１〜Ｃ２４のうちの切り欠き１２ｆの近傍の隅部Ｃ２１を除く他の３つの隅部Ｃ２２〜Ｃ２４には、テープリール３を収容する収容部の一部（以下、「収容部Ａ２１」ともいう）を区画するための平面視弧状の区画板１２ｇ〜１２ｉが形成されている。
【００２６】
この場合、区画板１２ｇは、図３に示すように、隣接する側板１２ｂ，１２ｃにその両端部が連結されている。また、区画板１２ｈは、隣接する側板１２ｃ，１２ｄにその両端部が連結され、区画板１２ｉは、隣接する側板１２ｄ，１２ｅにその両端部が連結されている。この構成により、下ケース１１の各隅部Ｃ２２〜Ｃ２４には、各区画板１２ｇ〜１２ｉおよび各側板１２ｂ〜１２ｅによって囲まれた平面視三角形状の３つの区画領域Ａ２２，Ａ２３，Ａ２４がそれぞれ形成されている。
【００２７】
テープリール３は、図１に示すように、ハブ２１、下フランジ２２、上フランジ２３および金属板２４を備えて構成されている。ハブ２１は、上端部側が開口し、下端部側が閉塞する有底円筒状に形成されている。下フランジ２２はハブ２１の下端部に一体的に形成され、上フランジ２３はハブ２１の上端部に取り付けられている。金属板２４は、円板状に形成されて、ハブ２１の下端面に取り付けられている。以上のように構成されたテープリール３は、両フランジ２２，２３で挟まれたハブ２１の外周面に磁気テープ（図示せず）を巻回した状態でケース本体２内の収容部Ａ１１，Ａ２１で構成される収容部Ｓ１に回転可能に収容される。
【００２８】
ブレーキ解除板４は、テープリール３におけるハブ２１の底部に配設されて、ロック部材５によるテープリール３のロックの解除を行う。ロック部材５は、スプリング６によってハブ２１の底部に向けて付勢された状態で、上ケース１２の天板１２ａとブレーキ解除板４との間に配設されて、テープカートリッジ１の非使用時において、テープリール３を回転不可状態にロックする。スプリング６は、図１に示すように、コイルスプリングで構成されて、上ケース１２とロック部材５との間に配設されて、テープリール３側に向けてロック部材５を付勢する。ドア部材７は、同図に示すように、テープ引き出し口２ａを閉塞可能な薄板状に形成されて、下ケース１１の側板１１ｂおよび上ケース１２の側板１２ｂにそれぞれ形成された案内溝（図示せず）にスライド可能に収納される。
【００２９】
識別タグ８は、板状に形成されて、図１，２に示すように、下ケース１１の区画領域Ａ１２に配設される。この場合、識別タグ８は、メモリ、メモリ制御回路、通信回路およびアンテナ（いずれも図示せず）を備えて構成されて、テープカートリッジ１の製造情報（識別情報）や使用履歴情報などを記憶すると共に、ドライブ装置との間でこれらの情報を非接触で送受信する。
【００３０】
セキュリティタグ９は、本発明におけるセキュリティタグの一例であって、図４に示すように、コイル部９ａと、コンデンサ９ｂを備えて構成されて、後述するように、同図に示すホルダー１０にセットされた状態で、下ケース１１の区画領域Ａ１４および上ケース１２の区画領域Ａ２４によって構成されるケース本体２内の区画領域Ａ４（本発明における所定領域に相当する：図７参照）に配設される（図６参照）。コイル部９ａは、図４に示すように、両端部にフランジを有するコイルボビン４１と、コイルボビン４１の中心部に挿入された円柱状の磁性コア４２と、コイルボビン４１の外周面に巻回された巻線４３とを備えて全体として円筒状に構成されている。この場合、図５に示すように、巻線４３の両端４３ａ，４３ｂには、後述するコンデンサ９ｂのリード端子４４，４４が並列接続されている。
【００３１】
また、コンデンサ９ｂは、一例としてフィルムコンデンサであって、図４に示すように、２本のリード端子（引出し端子）４４，４４が互いに略平行な状態でコンデンサ本体４５から引き出されている。このセキュリティタグ９は、保管場所等からのテープカートリッジ１の不正持ち出しを規制するためのタグであって、例えば保管場所の出入り口等に配置されたゲートから発信される電波（例えば５８ｋＨｚの所定周波数）を受信して共振する。したがって、セキュリティタグ９による電波の共振に基づいてテープカートリッジ１がゲートを通過したか否かを特定することが可能となっている。
【００３２】
ホルダー１０は、本発明におけるホルダーの一例であって、図４に示すように、ホルダー本体５１、一対の保持部５２，５２および突出片５３を備えて構成されている。ホルダー本体５１は、湾曲形成された胴部６１と、胴部６１の両端部６１ａ，６１ａにそれぞれ配設された壁部６２，６２とによって略半円筒状に形成されて、開口部５１ａから嵌め込まれたセキュリティタグ９のコイル部９ａを保持可能に構成されている。この場合、胴部６１の端部６１ａにおける開口部５１ａ近傍の内周面６１ｂには、ホルダー本体５１の内側（コイル部９ａが嵌め込まれる空間側）に突出する４つのリブ（肉厚部）６１ｃ（本発明におけるリブに相当する）が形成されている。また、両壁部６２の一方には、セキュリティタグ９のコイル部９ａを開口部５１ａから嵌め込む方向に沿って切り欠かれた（つまり嵌め込む方向に沿って延在する）スリット６２ａが設けられている。
【００３３】
保持部５２は、コンデンサ９ｂの各リード端子４４をワンタッチで嵌め込み可能で、かつ嵌め込まれた各リード端子４４を保持可能に構成されている。具体的には、保持部５２は、図４に示すように、胴部６１から突出するように胴部６１の外周面６１ｄに立設された第１保持片７１と、第１保持片７１から所定間隔離間するように胴部６１の外周面６１ｄに立設されて第１保持片７１の先端部に向けて突出する爪部７２ａがその先端部に形成された第２保持片７２とを備えて構成されている。突出片５３は、同図に示すように、角部が切り欠かれた板状に構成されて、胴部６１の縁部から突出するようにして胴部６１に一体形成されている。
【００３４】
このテープカートリッジ１では、図５に示すように、コイル部９ａがホルダー１０のホルダー本体５１に保持されると共に、コンデンサ９ｂのリード端子４４がホルダー１０の保持部５２に保持された状態（セキュリティタグ９がホルダー１０にセットされた状態）で、セキュリティタグ９が、図７に示すように、ケース本体２内の区画領域Ａ４に配設されている。この場合、図６，７に示すように、この状態では、ホルダー１０がケース本体２の底板１１ａ、天板１２ａ、側板１１ｄ，１２ｄ（側板１２ｄと当接する図示を省略する）、区画板１１ｉ，１２ｉ、および柱状突起部３１，３２に当接して、セキュリティタグ９およびホルダー１０の上下方向および水平方向への移動が規制されている。
【００３５】
次に、テープカートリッジ１の組立方法の一例について、図面を参照して説明する。
【００３６】
まず、下ケース１１に各構成要素を組み付ける。具体的には、図１に示すように、磁気テープが巻回されたテープリール３を収容部Ａ１１に組み付けた後に、ブレーキ解除板４をテープリール３の底部に組み付ける。次に、ロック部材５をブレーキ解除板４の上に組み付けて、さらにその上にスプリング６を組み付ける。次いで、ドア部材７を組み付けた後に、識別タグ８を区画領域Ａ１２に取り付ける。
【００３７】
続いて、ホルダー１０にセットした状態のセキュリティタグ９を区画領域Ａ１４に配設する。具体的には、図４，５に示すように、コイル部９ａをホルダー本体５１の開口部５１ａから内側の空間に向けて押し込んで嵌め込む。この場合、このホルダー１０では、壁部６２にスリット６２ａが形成されているため、コイル部９ａの嵌め込みの際にホルダー本体５１が弾性変形して開口部５１ａが広がる結果、ホルダー本体５１に対するコイル部９ａの嵌め込み作業を容易に行うことが可能となっている。また、このホルダー１０では、開口部５１ａ近傍における胴部６１の内周面６１ｂにリブ６１ｃが形成されている。このため、このリブ６１ｃによってコイル部９ａの開口部５１ａ側への移動が規制されるため、ホルダー本体５１に嵌め込まれたコイル部９ａの開口部５１ａからの脱落が防止されて、コイル部９ａを確実に保持することが可能となっている。
【００３８】
次いで、図４，５に示すように、コンデンサ９ｂのリード端子４４をホルダー１０の保持部５２に嵌め込む。この場合、保持部５２を構成する両保持片７１，７２の間の隙間から両保持片７１，７２の基端部側に向けてリード端子４４を押し込むことで、第１保持片７１の先端部と第２保持片７２の爪部７２ａとが互いに離間する向きに両保持片７１，７２が弾性変形する。続いて、リード端子４４を爪部７２ａよりも基端部側にさらに押し込むことで、弾性変形が解除されて第１保持片７１の先端部と第２保持片７２の爪部７２ａとが近接する。これにより、リード端子４４が保持部５２に嵌め込まれて、保持部５２によって保持される。この場合、リード端子４４を押し込むだけで（ワンタッチで）、リード端子４４を保持部５２に取り付ける（保持させる）ことができるため、取り付け作業を短時間で容易に行うことが可能となっている。次いで、巻線４３の９ｃの両端４３ａ，４３ｂをコンデンサ９ｂのリード端子４４，４４に半田付けする。以上により、ホルダー１０に対するセキュリティタグ９のセットが完了する。
【００３９】
次いで、図６，７に示すように、ホルダー本体５１の一方の壁部６２が下ケース１１の底板１１ａに当接し、ホルダー本体５１の底部５１ｂ側が下ケース１１の区画板１１ｉおよび柱状突起部３２に当接し、保持部５２が下ケース１１の側板１１ｄに当接し、さらに突出片５３が柱状突起部３１に当接するようにして、ホルダー１０、およびホルダー１０にセットしたセキュリティタグ９を区画領域Ａ１４に配設する。
【００４０】
続いて、図７に示すように、各構成要素を組み付けた（配設した）下ケース１１と上ケース１２とを嵌合させる。この際に、ホルダー本体５１の他方の壁部６２が上ケース１２の天板１２ａに当接し、ホルダー本体５１の底部５１ｂ側が上ケース１２の区画板１２ｉに当接し、保持部５２が上ケース１２の側板１２ｄ（同図では図示せず）に当接する。次いで、両ケース１１，１２をねじ止めする。以上により、テープカートリッジ１の組立が完了する。この場合、図６，７に示すように、この状態では、ホルダー１０が、ケース本体２の底板１１ａ、天板１２ａ、側板１１ｄ，１２ｄ、区画板１１ｉ，１２ｉおよび柱状突起部３１，３２に当接して、その上下方向（天板１２ａおよび底板１１ａへの方向）および水平方向（側板１１ｄ，１２ｄ、区画板１１ｉ，１２ｉおよび柱状突起部３１，３２への方向）への移動が規制されている。したがって、ホルダー１０にセットされたセキュリティタグ９は、ホルダー１０と共に同じく上下方向および水平方向への移動が確実に規制されている。
【００４１】
ここで、このテープカートリッジ１では、上記したように、セキュリティタグ９がセットされたホルダー１０を底板１１ａ、天板１２ａ、側板１１ｄ，１２ｄ、区画板１１ｉ，１２ｉおよび柱状突起部３１，３２に当接させることで、セキュリティタグ９およびホルダー１０の移動が規制されている。このため、このテープカートリッジ１では、接着剤や粘着テープを用いる固定方法とは異なり、コイル部９ａとコンデンサ９ｂとで構成されて接着面として利用できる平面部分が少ないセキュリティタグ９を、ケース本体２に確実に固定することが可能となっている。また、接着剤や粘着テープの経年劣化によってセキュリティタグ９がケース本体２から剥がれるおそれのある従来の固定方法とは異なり、セキュリティタグ９が確実に固定された状態を長期間に亘って維持することが可能となっている。さらに、このテープカートリッジ１では、ケース本体２の各板１１ａ，１２ａ，１１ｄ，１２ｄ、１１ｉ，１２ｉおよび各柱状突起部３１，３２にホルダー１０を当接させることで、ホルダー１０をねじ止めを行うことなくケース本体２に固定している。このため、ねじ止めによってホルダー１０をケース本体２に固定する方法と比較して、ねじ止めの工程が不要な分、生産効率を向上させることが可能となっている。
【００４２】
このように、このカートリッジケースおよびテープカートリッジ１によれば、セキュリティタグ９をホルダー１０に取り付けた状態でケース本体２の区画領域４に配設したことにより、ホルダー１０をケース本体２の底板１１ａ、天板１２ａ、側板１１ｄ，１２ｄおよび区画板１１ｉ，１２ｉに当接させることで、セキュリティタグ９をホルダー１０と共にケース本体２に固定することができる。このため、このカートリッジケースおよびテープカートリッジ１によれば、接着剤や粘着テープを用いる従来の固定方法とは異なり、接着面として利用できる平面部分が少ないセキュリティタグ９であっても、そのセキュリティタグ９をケース本体２に確実に固定することができる。また、このカートリッジケースおよびテープカートリッジ１によれば、接着剤や粘着テープを用いることなくホルダー１０を用いてセキュリティタグ９を固定するため、接着剤や粘着テープの経年劣化によってセキュリティタグ９がケース本体２から剥がれるおそれのある従来の固定方法とは異なり、セキュリティタグ９が確実に固定された状態を長期間に亘って維持することができる。さらに、このカートリッジケースおよびテープカートリッジ１によれば、ねじ止めの工程が不要なため、ねじ止めによってホルダー１０をケース本体２に固定する方法と比較して、短時間でしかも容易に固定することができる結果、生産効率を十分に向上させることができる。
【００４３】
また、このカートリッジケースおよびテープカートリッジ１によれば、ホルダー１０を、ケース本体２の柱状突起部３１，３２に当接させた状態で区画領域Ａ４に配設したことにより、ホルダー１０およびセキュリティタグ９をより確実に固定してセキュリティタグ９の移動を確実に防止することができる。
【００４４】
また、このカートリッジケースおよびテープカートリッジ１によれば、略半円筒状に形成されてセキュリティタグ９のコイル部９ａを保持するホルダー本体５１と、セキュリティタグ９におけるコンデンサ９ｂのリード端子４４をワンタッチで嵌め込み保持する一対の保持部５２とを備えてホルダー１０を構成したことにより、コイル部９ａとコンデンサ９ｂとを確実かつ短時間で、しかも容易にホルダー１０取り付けることができる結果、生産効率を一層向上させつつセキュリティタグ９をより確実に固定することができる。
【００４５】
また、このカートリッジケースおよびテープカートリッジ１によれば、ホルダー本体５１から突出するようにホルダー本体５１の外周面に立設された第１保持片７１と、第１保持片７１から所定間隔離間するようにホルダー本体５１の外周面に立設されて第１保持片７１に向けて突出する爪部７２ａが先端部に形成された第２保持片とを備えて保持部５２を構成したことにより、比較的簡易な構成でありながら、ワンタッチでのリード端子４４の嵌め込み、および嵌め込んだリード端子４４の確実な保持を実現することができる。
【００４６】
また、このカートリッジケースおよびテープカートリッジ１によれば、ホルダー１０における両壁部６２の一方にスリット６２ａを形成したことにより、コイル部９ａをホルダー本体５１に嵌め込む際に、ホルダー本体５１が弾性変形して開口部５１ａが広がる結果、ホルダー本体５１に対するコイル部９ａの嵌め込み作業を確実でしかも容易に行うことができる。
【００４７】
また、このカートリッジケースおよびテープカートリッジ１によれば、胴部６１の端部６１ａにおける開口部５１ａ近傍の内周面６１ｂにホルダー本体５１の内側に突出するリブ６１ｃを形成したことにより、ホルダー本体５１に嵌め込んだコイル部９ａの開口部５１ａ側への移動をこのリブ６１ｃによって確実に規制することができる。このため、コイル部９ａのホルダー本体５１からの脱落が防止されて、コイル部９ａを確実に保持することができる。
【００４８】
なお、本発明は、上記の構成に限定されない。例えば、円筒状のコイル部９ａを有するセキュリティタグ９と、そのセキュリティタグ９を取り付け可能なホルダー１０とを備えた例について上記したが、平面状のコイルを有する板状のセキュリティタグと、この板状のセキュリティタグを取り付け可能なホルダーとを備えた構成を採用することもできる。また、ケース本体２の底板１１ａ、天板１２ａ、側板１１ｄ，１２ｄ、区画板１１ｉ，１２ｉおよび柱状突起部３１，３２にホルダー１０を当接させることで、セキュリティタグ９をホルダー１０と共にケース本体２に固定する例について上記したが、上記以外の他の板材や突起部をケース本体２に形成して、上記の各板に加えてこれらの他の板材や突起部にホルダー１０を当接させることで、セキュリティタグ９およびホルダー１０をケース本体２に固定することもできる。この場合、ねじ止め用の孔３１ａや基準孔３２ａが形成されていないホルダー１０を当接させるための専用の突起部を底板１１ａおよび天板１２ａの少なくとも一方に形成することもできる。さらに、ホルダー１０が柱状突起部３１，３２に当接していない構成、つまり上記した各板だけにホルダー１０を当接させる構成を採用することができる。また、単一のテープリール３を備えた１リールタイプの１テープカートリッジ１に適用した例について上記したが、２リールタイプのテープカートリッジに適用することができるのは勿論である。
【図面の簡単な説明】
【００４９】
【図１】テープカートリッジ１の分解斜視図である。
【図２】下ケース１１の平面図である。
【図３】上ケース１２の斜視図である。
【図４】セキュリティタグ９およびホルダー１０の斜視図である。
【図５】ホルダー１０にセキュリティタグ９をセットした状態の斜視図である。
【図６】セキュリティタグ９およびホルダー１０の配設方法を説明するための説明図である。
【図７】図６におけるＸ−Ｘ線の断面図である。
【符号の説明】
【００５０】
１  テープカートリッジ
２  ケース本体
３  テープリール
９  セキュリティタグ
９ａ  コイル部
９ｂ  コンデンサ
１０  ホルダー
１１  下ケース
１１ａ  底板
１１ｄ，１２ｄ  側板
１１ｇ〜１１ｉ，１２ｇ〜１２ｉ  区画板
１２  上ケース
１２ａ  天板
３１，３２  柱状突起部
４３ａ，４３ｂ  両端
４４  リード端子
５１  ホルダー本体
５１ａ  開口部
５２  保持部
６１  胴部
６１ａ  端部
６１ｂ  内周面
６１ｃ  リブ
６２  壁部
６２ａ  スリット
７１  第１保持片
７２  第２保持片
７２ａ  爪部
Ａ１，Ａ１１，Ａ２１  収容部
Ａ４，Ａ１４，Ａ２４  区画領域
【図１】
0004946830.tif 000002
【図２】
0004946830.tif 000003
【図３】
0004946830.tif 000004
【図４】
0004946830.tif 000005
【図５】
0004946830.tif 000006
【図６】
0004946830.tif 000007
【図７】
0004946830.tif 000008